(57)【要約】【課題】光ディスク装置に光ディスクを装着した状態で特定コマンドを検出しＤＶＤの再生時の回転速度を制御する方法では、一部のＯＳではＯＳ起動時に特定コマンドが発行されＤＶＤ−ＲＯＭでも速度制限モードに設定されることがあるが、本発明では、ＤＶＤ−ＶＩＤＥＯ再生とＤＶＤデータ再生で最適な回転速度とすることができる光ディスク装置の再生方法および光ディスク装置を提供することを目的とする。【解決手段】光ディスク装置に光ディスクが装着されて起動開始しＯＳ起動後、所定の期間の後に受信した特定コマンドを検出するとともに、前記光ディスクの情報内容により前記光ディスクの回転速度を決定する光ディスク装置とする。【選択図】図３
2006309813.tif 000002
【特許請求の範囲】
【請求項１】
ホストコンピュータに接続され前記ホストコンピュータと光ディスク装置を結ぶインターフェースを備え、
光ディスク上の情報を再生する光ディスク再生装置であって、
光ディスクを複数の回転速度で回転させる回転手段と、
前記インターフェースを介して前記ホストコンピュータからの再生コマンドを受信する手段と、
受信コマンドにより前記回転速度を選択する手段と、
前記光ディスク上の情報の種類を判別する手段と、を有し、
前記光ディスク装置に光ディスクが装着されてホストコンピュータ起動開始後、所定の期間の後、受信した受信コマンドおよび前記光ディスクの情報内容により前記光ディスクの回転速度を決定することを特徴とする光ディスク再生装置。
【請求項２】
前記光ディスク装置に光ディスクが装着されて起動開始し、ＯＳから光ディスク情報の取得動作準備が完了した後に受信した特定コマンドをもとに光ディスクの回転速度を決定することを特徴とする請求項１記載の光ディスク再生装置。
【請求項３】
前記光ディスクが、ＤＶＤの再生を特徴とする請求項１または請求項２記載の光ディスク再生装置。
【請求項４】
前記特定コマンドは、ＡＴＡＰＩインターフェースのＲｅｐｏｒｔ  ｋｅｙコマンドであることを特徴とする請求項３記載の光ディスク再生装置。
【請求項５】
前記光ディスクがＤＶＤ−ＲＯＭと判断したときは、前記回転速度の中から最大の回転速度を設定し、
ＤＶＤ−ＶＩＤＥＯディスクと判定したときは、データ再生に支障なくかつ回転音の低騒音化を図れる回転速度としたことを特徴とする請求項１から請求項４のいずれか１記載の光ディスク再生装置。
【請求項６】
ホストコンピュータからのコマンドによって光ディスク上からの情報を再生する光ディスク再生方法であって、
光ディスクが光ディスク装置に装着され、
ホストコンピュータが起動してホストコンピュータのＯＳが起動し、
前記ＯＳから光ディスク情報の取得動作準備が完了し、
取得動作準備が完了したあとに光ディスク装置が受信した特定コマンドをもとに光ディスクの回転速度を決定し、
光ディスクの情報を再生することを特徴とする光ディスク再生方法。
【請求項７】
前記光ディスクはＤＶＤであり、前記特定コマンドは、ＤＶＤの情報を取得するように発行されるＡＴＡＰＩインターフェースのＲｅｐｏｒｔ  Ｋｅｙであることを特徴とする請求項６記載の光ディスク再生方法。
【請求項８】
前記光ディスクがＤＶＤ−ＲＯＭと判断したときは、前記回転速度の中から最大の回転速度を設定し、ＤＶＤ−ＶＩＤＥＯディスクと判定したときは、データ再生に支障なくかつ回転音の低騒音化を図れる回転速度としたことを特徴とする請求項７記載の光ディスク再生方法。
【請求項９】
光ディスク装置の再生方法であって、
前記光ディスク装置は、光ディスク情報取得後に、
前記光ディスク情報に基づくＣＳＳ認証動作が必要であれば、ＣＳＳ認証動作を実施し、
前記ＣＳＳ認証動作が成功した場合ＤＶＤ−ＶＩＤＥＯと判断し、
前記光ディスク情報に基づくＣＳＳ認証動作が必要でないかまたは前記ＣＳＳ認証動作が失敗した場合には、ホストコンピュータからのＲｅｐｏｒｔ  Ｋｅｙコマンドの受信状態を確認し、
前記ホストコンピュータからのＲｅｐｏｒｔ  Ｋｅｙコマンドを検出したかあるいは前記Ｒｅｐｏｒｔ  Ｋｅｙコマンド検出済みで、前記光ディスクが記録系ディスクと判断したら、ＤＶＤ−ＶＩＤＥＯと判定することを特徴とする光ディスク装置の再生方法。
【請求項１０】
光ディスク装置の再生方法であって、
前記光ディスク装置は、光ディスク情報取得後に、
前記光ディスク情報に基づくＣＳＳ認証動作が必要であればＣＳＳ認証動作を実施し、
前記ＣＳＳ認証動作が成功した場合はＤＶＤ−ＶＩＤＥＯと判断し、
前記ＣＳＳ認証動作が失敗の場合には、前記光ディスクが記録系ディスクかどうかを判断し、ホストコンピュータからのＲｅｐｏｒｔ  Ｋｅｙコマンドの受信状態を検出し、
前記Ｒｅｐｏｒｔ  Ｋｅｙコマンドの受信があればＤＶＤ−ＶＩＤＥＯと判定し、
前記Ｒｅｐｏｒｔ  Ｋｅｙコマンドの受信がなければＤＶＤ−ＲＯＭと判定することを特徴とする光ディスク装置の再生方法。
【請求項１１】
光ディスクを複数の回転速度で回転させる回転手段と、
ホストコンピュータに連結するインターフェースと、
前記インターフェースを介して前記ホストコンピュータからの再生コマンドを受信する手段と、
前記受信再生コマンドにより前記回転速度を選択する手段と、
前記光ディスク上の情報の種類を判別する手段と、
ホストコンピュータとのＣＳＳ認証動作の検出機能と、を有する光ディスク装置であって、
前記ＣＳＳ認証とホストコンピュータからのＲｅｐｏｒｔ  Ｋｅｙコマンド受信状態とで、
ＤＶＤ−ＶＩＤＥＯを判定し、回転速度を制御することを特徴する光ディスク装置。
【発明の詳細な説明】
【技術分野】
【０００１】
本発明は、コンピュータ等の外部記憶装置として用いられるディスク装置や映像再生用のディスク装置等の媒体に記録されたデータを再生するディスクの情報再生方法、ディスク装置およびディスク装置を搭載した電子機器に関するものである。
【背景技術】
【０００２】
光ディスクメディアや光磁気ディスク、ハードディスクメディアなどに記録されたデジタルオーディオデータや映像データのデジタルデータ情報を再生するのにディスクを高速回転してデータを読み出せば、高速回転による風切り音や、高速回転の振動による騒音や消費電力が大きくなり問題になってくる。例えば、ユーザ要求によるＤＶＤに記録された情報の再生に際して、音楽や映像の再生においては、静音化や省電力化を重視し回転速度を落とし、ＤＶＤに記録されたデータ読みだし（リッピング）では、高速読み出しにより高速回転とする必要がある。ＤＶＤ−ＶＩＤＥＯの判別する方法はいくつかの方法が採用されている。例えば（特許文献１）のように、ホストコンピュータから送られてくるＡＴＡＰＩコマンドをもとに転送レートを測定し、転送レートに応じてディスクの回転速度を決定する方法や、ＤＶＤ−Ｖｉｄｅｏにスクランブルデータが記録されており、このＣＳＳ認証を利用し、ＤＶＤ−Ｖｉｄｅｏと認識してディスクの回転速度を決定する方法（特許文献２）、ＤＶＤ再生用のアプリケーションソフトから発行されるＡＴＡＰＩコマンドのうちＲｅｐｏｒｔ  ｋｅｙコマンドを利用してＤＶＤ−Ｖｉｄｅｏを認識して回転速度を決定する方法がある。それぞれ、特徴があり機種やモデルでそれらのどれか、もしくは組合せて再生速度を決定している。なお、ＤＶＤ−ＶＩＤＥＯの再生においては、映像や音声を堪能するためには静音性、省電力を重視でＤＶＤ−ＲＯＭよりも速度を落として再生することが望ましい。
【特許文献１】特開２００２−００８３１６号公報
【特許文献２】特開２００２−３６７２７６号公報
【発明の開示】
【発明が解決しようとする課題】
【０００３】
しかしながら、光ディスク装置に光ディスクを装着した状態で、前述のＡＴＡＰＩのＲｅｐｏｒｔ  Ｋｅｙコマンドによる方法を採用してＤＶＤの再生時の回転速度を制御する方法を採用した場合に、一部のオペレーティングシステム（ＯＳ）、例えばＷｉｎｄｏｗｓ（登録商標）２０００やＷｉｎｄｏｗｓ（登録商標）Ｘｐ等において、ＯＳ起動時にドライブの状態に関係なく特定コマンドであるＲｅｐｏｒｔ  ｋｅｙが発行されＤＶＤ−ＲＯＭでも速度制限モードに設定されてしまいＤＶＤ−ＲＯＭのデータ転送速度にならない課題があった。
【０００４】
また、ＣＳＳ認証（ＣＳＳ  Ａｕｔｈｅｎｔｉｃａｔｉｏｎ）による方式でＤＶＤ―ＶＩＤＥＯの再生モードの回転制御を実施すると、市販のプレス版のディスクでは、通常はＣＳＳ認証を必要とするが、ユーザ個人作成のＤＶＤ−ＶＩＤＥＯでは、かかるＣＳＳ認証情報がないのでこの方法での回転速度の制御ができなかった。
【０００５】
本発明においては、ＤＶＤ−Ｖｉｄｅｏの再生と、ＤＶＤ−ＲＯＭのデ−タ転送とを判定しＤＶＤの情報のパフォーマンスをあげることを目的とする。
【課題を解決するための手段】
【０００６】
本発明の光ディスクの再生装置によれば、ホストコンピュータに接続され前記ホストコンピュータと前記光ディスク装置を結ぶインタフェースを備え、前記ホストコンピュータ内のアプリケーションソフトによって、光ディスク上の情報を再生する光ディスク再生装置であって、光ディスクを複数の回転速度で回転させる回転手段と、前記インタフェースを介して前記ホストコンピュータからの再生コマンドを受信する手段と、前記受信コマンド（特定コマンド）により前記回転速度を選択する手段と、前記光ディスク上の情報の種類を判別する手段と、を有し、前記光ディスク装置に光ディスクが装着されて起動開始しＯＳ起動後、所定の期間の後受信した受信コマンドおよび前記光ディスクの情報内容により前記光ディスクの回転速度を決定することを特徴とする光ディスク再生装置であって、ホストコンピュータからの起動時の再生コマンドの影響を避けるとともに、ホストコンピュータからのリードコマンド発行前に回転速度を決定することができ、ホストコンピュータからの再生動作処理が容易になる。
【発明の効果】
【０００７】
本発明の光ディスク再生装置によれば、ＤＶＤ−ＲＯＭのようなデータディスクに於いては、最高速度の回転速度で再生し、ＤＶＤ−ＶＩＤＥＯのデータ再生に於いては騒音が少なく、振動も少ないようにすることができる。
【発明を実施するための最良の形態】
【０００８】
請求項１記載の発明は、ホストコンピュータに接続されホストコンピュータと光ディスク装置を結ぶインタフェースを備え、ホストコンピュータ内のアプリケーションソフトによって、光ディスク上の情報を再生する光ディスク再生装置であって、光ディスクを複数の回転速度で回転させる回転手段と、インタフェースを介してホストコンピュータからの再生コマンドを受信する手段と、受信コマンドにより回転速度を選択する手段と、光ディスク上の情報の種類を判別する手段と、を有し、光ディスク装置に光ディスクが装着されてホストコンピュータ起動開始後、所定の期間の後、受信した受信コマンドおよび光ディスクの情報内容により光ディスクの回転速度を決定することを特徴とする光ディスク再生装置であって、ホストコンピュータからの起動時の再生コマンドの影響を避けるとともに、ホストコンピュータからのリードコマンド発行前に回転速度を決定することができ、ホストコンピュータからの再生動作処理が容易になる。
【０００９】
請求項２記載の発明は、請求項１記載の発明において、光ディスク装置に光ディスクが装着されて起動開始しＯＳから光ディスク情報の取得動作準備が完了した後に受信した特定コマンドをもとに光ディスクの回転速度を決定することを特徴とする請求項１記載の光ディスク再生装置であって、特定コマンドの取得が確実に行うことができる。
【００１０】
請求項３記載の発明は、光ディスクが、ＤＶＤの再生を特徴とする請求項１または請求項２記載の光ディスク再生装置であって、ＤＶＤのディスク媒体の情報を読み込み、その情報をもとに回転速度を制御することができる。
【００１１】
請求項４記載の発明は、特定コマンドは、ＡＴＡＰＩインタフェースのＲｅｐｏｒｔ  ｋｅｙコマンドであることを特徴とする請求項３記載の光ディスク再生装置であって、ＤＶＤ−ＶＩＤＥＯフォーマットのときにリージョンコード等のディスク情報を取得するためのコマンドであるＲｅｐｏｒｔ  ＫｅｙコマンドをもとにＤＶＤ−ＶＩＤＥＯの再生モードの回転速度を決定することができる。
【００１２】
請求項５記載の発明は、光ディスクがＤＶＤ−ＲＯＭと判断したときは、回転速度の中から最大の回転速度を設定し、ＤＶＤ−ＶＩＤＥＯディスクと判定したときは、データ再生に支障なくかつ回転音の低騒音化を図れる回転速度としたことを特徴とする請求項１から請求項４のいずれか１記載の光ディスク再生装置であって、ＤＶＤ−ＲＯＭのデータ再生時には再生速度を最高速で、ＤＶＤ−ＶＩＤＥＯデータでは再生時に振動や騒音を減らすことができる。
【００１３】
請求項６記載の発明は、ホストコンピュータからのコマンドによって光ディスク上からの情報を再生する光ディスク再生方法であって、光ディスクが光ディスク装置に装着され、ホストコンピュータが起動してホストコンピュータのＯＳが起動し、ＯＳから光ディスク情報の取得動作準備が完了し、取得動作準備が完了したあとに光ディスク装置が受信した特定コマンドをもとに光ディスクの回転速度を決定し、光ディスクの情報を再生することを特徴とする光ディスク再生方法であって、この方法によれば、ホストコンピュータからの起動時の再生コマンドの影響を避けるとともに、ホストコンピュータからのリードコマンド発行前に回転速度を決定することができ、ホストコンピュータからの再生動作処理が容易になる。
【００１４】
請求項７記載の発明は、光ディスクはＤＶＤであり、特定コマンドは、ＤＶＤの情報を取得するように発行されるＡＴＡＰＩインタフェースのＲｅｐｏｒｔ  Ｋｅｙであることを特徴とする請求項６記載の光ディスク再生方法であって、ＤＶＤ−ＶＩＤＥＯフォーマットのときにリージョンコード等のディスク情報を取得するためのコマンドであるＲｅｐｏｒｔ  ＫｅｙコマンドをもとにＤＶＤ−ＶＩＤＥＯの再生モードの回転速度を決定することができる。
【００１５】
請求項８記載の発明は、光ディスクがＤＶＤ−ＲＯＭと判断したときは、回転速度の中から最大の回転速度を設定し、ＤＶＤ−ＶＩＤＥＯディスクと判定したときは、データ再生に支障なくかつ回転音の低騒音化を図れる回転速度としたことを特徴とする請求項７記載の光ディスク再生方法であって、光ディスクがＤＶＤ−ＲＯＭと判断したときは、回転速度の中から最大の回転速度を設定し、ＤＶＤ−ＶＩＤＥＯディスクと判定したときは、データ再生に支障なくかつ回転音の低騒音化を図れる回転速度としたことを特徴とする請求項１から請求項４のいずれか１記載の光ディスク再生装置であって、ＤＶＤ−ＲＯＭのデータ再生時には再生速度を最高速で、ＤＶＤ−ＶＩＤＥＯディスクでは再生時に振動や騒音を減らすことができる。
【００１６】
請求項９記載の発明は、光ディスク装置の再生方法であって、光ディスク装置は、光ディスク情報取得後に、光ディスク情報に基づくＣＳＳ認証動作が必要であれば、ＣＳＳ認証動作を実施し、ＣＳＳ認証動作が成功した場合ＤＶＤ−ＶＩＤＥＯと判断し、光ディスク情報に基づくＣＳＳ認証動作が必要でないかまたはＣＳＳ認証動作が失敗した場合には、ホストコンピュータからのＲｅｐｏｒｔ  Ｋｅｙコマンドの受信状態を確認し、ホストコンピュータからのＲｅｐｏｒｔ  Ｋｅｙコマンドを検出したかあるいはＲｅｐｏｒｔ  Ｋｅｙコマンド検出済みで、光ディスクが記録系ディスクと判断したら、ＤＶＤ−ＶＩＤＥＯと判定する光ディスク装置の再生方法で、市販のＤＶＤ−ＶＩＤＥＯのプレス版の映像や音声を再生する際には、ＣＳＳ認証情報をもとに速度制限を実施し騒音の少ない再生方法とすることができる。また、ユーザ自身が作成したＤＶＤ−ＶＩＤＥＯでは、ＣＳＳ認証情報がないので、ＣＳＳ認証でのディスク速度制限ができないので、アプリケーションから発行される、Ｒｅｐｏｒｔ  Ｋｅｙの受信状態にて回転速度制限ができ、ユーザのＤＶＤ−ＶＩＤＥＯも騒音の少ない再生方法とすることができる。また、ＤＶＤ−ＲＯＭでは、高速での回転速度に判定することができるので、パフォーマンスを上げることが出来る。
【００１７】
請求項１０記載の発明は、光ディスク装置の再生方法であって、光ディスク装置は、光ディスク情報取得後に、光ディスク情報に基づくＣＳＳ認証動作が必要であればＣＳＳ認証動作を実施し、ＣＳＳ認証動作が成功した場合はＤＶＤ−ＶＩＤＥＯと判断し、ＣＳＳ認証動作が失敗の場合には、光ディスクが記録系ディスクかどうかを判断し、ホストコンピュータからのＲｅｐｏｒｔ  Ｋｅｙコマンドの受信状態を検出し、Ｒｅｐｏｒｔ  Ｋｅｙコマンドの受信があればＤＶＤ−ＶＩＤＥＯと判定し、Ｒｅｐｏｒｔ  Ｋｅｙコマンドの受信がなければＤＶＤ−ＲＯＭと判定する光ディスク装置の再生方法で、プレス版のＤＶＤ−ＶＩＤＥＯだけでなく、記録系の光ディスクではユーザにより作成されたＤＶＤ−ＶＩＤＥＯを検出することができるようになり、Ｒｅｐｏｒｔ  Ｋｅｙの受信状態にて回転速度制限ができ、ユーザのＤＶＤ−ＶＩＤＥＯも騒音の少ない再生方法とすることができる。また、ＤＶＤ−ＲＯＭでは、高速での回転速度に判定することができるので、パフォーマンスを上げることが出来る。
【００１８】
請求項１１記載の発明は、光ディスクを複数の回転速度で回転させる回転手段と、ホストコンピュータに連結するインタフェースと、インタフェースを介してホストコンピュータからの再生コマンドを受信する手段と、受信再生コマンドにより回転速度を選択する手段と、光ディスク上の情報の種類を判別する手段と、ホストコンピュータとのＣＳＳ認証動作を検出機能と、を有する光ディスク装置であって、ＣＳＳ認証とホストコンピュータからのＲｅｐｏｒｔ  Ｋｅｙコマンド受信状態とで、ＤＶＤ−ＶＩＤＥＯを判定し、回転速度を制御することを特徴する光ディスク装置で、ＣＳＳ認証とホストコンピュータからのＲｅｐｏｒｔ  Ｋｅｙコマンド受信状態とで、ＤＶＤ−ＶＩＤＥＯを判定し、回転速度をデータ再生に支障なくかつ回転音の低騒音化を図れる回転速度としたことを特徴する光ディスク装置であり、ＤＶＤ−ＶＩＤＥＯの再生では、騒音の少ない再生ができ、ＤＶＤ−ＲＯＭでは、高速での回転速度とすることができる光ディスク装置を提供できる。
【００１９】
（実施の形態１）
以下、本発明の実施の形態１について詳細に説明する。
【００２０】
図１は、本発明の実施の形態１に係わる光ディスク装置の構成を示したブロック図である。
【００２１】
図１に示すように、光ディスク装置１は、ピックアッップモジュール１２、スピンドルモータ１３、フィードモータ１４、サーボモジュール１５、信号制御部１６、ＣＰＵ１７、メインメモリ１８、バッファメモリ１９、インタフェース１１０から構成されている。
【００２２】
そして、ホストコンピュータ１１１に接続され、ホストコンピュータ１１１から入力され光ディスク１１に記録されたデータをホストコンピュータ１１１に出力する。
【００２３】
光ピックアップ手段であるピックアップモジュール１２は、レーザ発光素子（図示せず）を有し、光ディスク１１のデータ読み出し時にレーザ光を照射し、再生を行う。スピンドルモータ１３は、光ディスク１１の回転を行う。
【００２４】
光ピックアップの移動手段であるフィードモータ１４は、ピックアップモジュール１２をスピンドルモータ１３に近づいたり離れたり移動させる。サーボモジュール１５は、フィードモータ１４の移動制御およびスピンドルモータ１３の回転数を制御する回転速度制御手段である。インタフェース１１０は、ホストコンピュータ１１１とのデータ信号の送信および受信を行う。ＣＰＵ１７はメインメモリ１８を備え、メインメモリ１８に記録されたプログラム（ファームウェア）により、サーボモジュール１５の制御と信号処理１６及びホストコンピュータ１１１とのインタフェース１１０の制御および、記録アドレスの演算手段である。バッファメモリ１９は、光ディスク１１に対してのデータを一時的に蓄えておく先読み用のバッファである。
【００２５】
再生ソフトなどのホストコンピュータ上で動くアプリケーションソフトは、メディア上のある位置からデータを読み出す場合には、読み出し（リード）コマンドを発行して、光ディスク装置に作業をさせる。このコマンドとは、光ディスクドライブ装置に特定の動作をさせる命令信号のことであり、アプリケーションソフトが光ディスクドライブに対して指示するコマンドをＡＴＡＰＩ（ＡＴＡ  Ｐａｃｋｅｔ  Ｉｎｔｅｒｆａｃｅ）コマンドと呼んでいる。
【００２６】
図２は、本発明の実施の形態１に係わるアプリケーションソフトの発行するコマンドと光ディスク装置の再生する転送状態を示した図である。
【００２７】
図２に示すように、図２（ａ）に示すような一続きのデータを再生する場合、１つの再生コマンドで丸ごとデータの再生をするわけではなく、図２（ｂ）に示すように細かいデータに分割し、再生コマンド単位にして、転送する。このデータは２Ｋ〜６４ＫＢの細かいデータに分割している。ホストコンピュータ１１１側では、転送された再生データを受け取る。
【００２８】
コマンドデータはホストコンピュータ１１１と光ディスク装置１を接続するＩＤＥケーブル１１２を通り、ドライブ側のＡＴＡＰＩインタフェース（コントローラ）１１０で受信する。その後、メインメモリ１８に格納されたファームウェアがＡＴＡＰＩコントローラ１１０からコマンドデータを取り出して解析し命令を実行する。ホストコンピュータ１１１からのコマンド発行はアプリケーション側が、データの受信はハードウェアが担当する。
【００２９】
ホストコンピュータ１１１は、光ディスク装置１の状態を監視するために、ＡＴＡＰＩコマンドを送り続けている。光ディスク装置１は光ディスク１１の種類や光ディスク装置１の状態を記憶しておき、ホストコンピュータ１１１側から来たリクエストに対して応答する。
【００３０】
以下、本発明の実施の形態に関して処理手順のフローチャートに従って説明する。
【００３１】
図３は、本発明の実施の形態１に係わるアプリケーションソフトによる光ディスクの再生までのフローを示した図である。
【００３２】
ホストコンピュータ１１１を起動し（Ｓ３０１）、ＢＯＯＴ起動シーケンスが開始され（Ｓ３０２）、ＢＩＯＳで起動ドライブを確認する（Ｓ３０３）。起動ドライブがＨＤＤより前にＣＤに設定されていると、光ディスク装置１にコマンドを発行し（Ｓ３０４）、ＢＯＯＴできるかどうかを判断する。その後ＯＳが起動し（Ｓ３０５）、ディスク情報を取得するために、特定コマンドであるＲｅｐｏｒｔ  ｋｅｙが発行され（Ｓ３０６）、光ディスク１の情報が読み取れる準備が完了する（Ｓ３０７）。その後、ディスク情報を再生するアプリケーションソフトがホストコンピュータ１１１にロードされ（Ｓ３０８）、ディスク情報を再生するように光ディスク装置１にリードコマンドを発行し、情報を再生する（Ｓ３０９）。
【００３３】
通常は、ＯＳ起動後特定コマンドのＲｅｐｏｒｔ  Ｋｅｙが発行されるが、光ディスク１が挿入された状態で、かつＢＩＯＳの起動ドライブとしてＣＤドライブを指定した場合には、ホストコンピュータは、（Ｓ３０４）でＲＥＡＤコマンドを発行してしまう。従って、本発明の実施の形態では、ホストコンピュータ起動から所定の時間が経過して特定コマンドの発行までの時間は、コマンドを速度制限の条件に入れない構成としている。
【００３４】
図４は、本発明の実施の形態１に係わるＤＶＤ−ＶＩＤＥＯの再生制御を示す図である。
【００３５】
ホストコンピュータが起動し（Ｓ４０１）、所定の時間経過したかどうかを判断し（Ｓ４０２）、所定の時間経過したら、特定コマンドを受信し（Ｓ４０３）、特定コマンドの実行をする（Ｓ４０４）。所定の時間は、ＢＯＯＴシーケンスが完了しＯＳが起動するまでの時間に設定すればよく、ＣＰＵのクロックを判定して設定してもよいし、光ディスク装置が搭載されるモデルで設定してもよい。
【００３６】
次に、ホストコンピュータ１１１からのディスク情報の取得が開始されたかどうかを判断し（Ｓ４０５）、取得が開始されると、ディスクがＤＶＤ―ＶＩＤＥＯかどうかを特定コマンドであるＲｅｐｏｒｔ  Ｋｅｙの受信状態で判断し（Ｓ４０６）、特定コマンド受信していればＤＶＤ−ＶＩＤＥＯ再生速度に設定し（Ｓ４０７）、ＤＶＤ−ＲＯＭでデータ読み出しであればデータ再生速度に設定し（Ｓ４０８）、コマンド検出パターンを終了する（Ｓ４０９）。
【００３７】
図５は、本発明の実施の形態１に係わるデータ読み出しの手順を示した図である。
【００３８】
次にデータ読み出し要求が開始されると（Ｓ５０１）、ＤＶＤ−ＶＩＤＥＯの再生速度に指定しているかどうかを判定し（Ｓ５０２）、ＤＶＤ−ＶＩＤＥＯの再生速度に設定している場合はＤＶＤ−ＶＩＤＥＯ再生速度に設定し（Ｓ５０４）、ＤＶＤ−ＶＩＤＥＯ再生速度に設定してなかったらデータ再生速度に設定し（Ｓ５０３）、データ読出しを実行し（Ｓ５０５）、データ読み出しを終了する（Ｓ５０６）。
【００３９】
（実施の形態２）
以下、本発明の実施の形態２について詳細に説明する。なお、実施の形態１と同一の構成や処理部に関して重複する部分は繰り返して述べないこととする。
【００４０】
図６は、本発明の実施の形態２に係わるコマンドパターン検出の手順を示した図である。
【００４１】
ホストコンピュータの起動し（Ｓ６０１）、ＯＳが起動し（Ｓ６０２）、ディスク情報が取得開始される（Ｓ６０３）。
【００４２】
ディスク情報の取得動作開始し、ファイルアロケーション情報を読む動作で、リードコマンドを発行する（Ｓ６０４）。リードコマンド発行に伴い、特定コマンドであるＲｅｐｏｒｔ  Ｋｅｙのコマンドの受信取得開始し（Ｓ６０５）、取得が開始されると、ディスクがＤＶＤメディアかどうかを判断し（Ｓ６０６）、特定コマンドを受信していれば、ＶＩＤＥＯ再生回転速度に設定し（Ｓ６０７）、ＤＶＤ−ＲＯＭであればデータ再生回転速度に設定し（Ｓ６０８）、コマンド検出パターンを終了する（Ｓ６０９）。
【００４３】
（実施の形態３）
以下、本発明の実施の形態３について詳細に説明する。なお、実施の形態１、２と同一の構成や処理部に関して重複する部分は繰り返して述べないこととする。
【００４４】
図７は、本発明の実施の形態３に係わるＤＶＤの判断方法を示した図である。
【００４５】
市販のＤＶＤ−ＶＩＤＥＯなどのプレス版のＤＶＤ−ＶＩＤＥＯの判定では、光ディスク装置は、ホストコンピュータとのＣＳＳ認証を用いると判定の時間が短縮できるが、ユーザが作成したＤＶＤ−ＶＩＤＥＯでは、ホストコンピュータとのＣＳＳ認証情報をもたないのが一般的であるので、プレス版のＤＶＤ−ＶＩＤＥＯではホストコンピュータとのＣＳＳ認証動作でＤＶＤ−ＶＩＤＥＯの判定をし、ユーザが作成したＤＶＤ−ＶＩＤＥＯでは、記録系の光ディスクでかつホストコンピュータからの特定コマンド受信にてＤＶＤ−ＶＩＤＥＯかどうかを判断し、穂刈ディスクの回転速度を設定し、再生速度を設定するようにしている。
【００４６】
光ディスク装置は、ＤＶＤの判定が開始されると（Ｓ７０１）、ディスク情報を取得し（Ｓ７０２）、ホストコンピュータとのＣＳＳ認証動作をしたかどうかを判断し（Ｓ７０３）、ホストコンピュータとのＣＳＳ認証動作があれば、ＤＶＤ−ＶＩＤＥＯ再生速度に設定する（Ｓ７０６）。
【００４７】
ホストコンピュータとのＣＳＳ認証動作をしなかったら、またはホストコンピュータとのＣＳＳ認証に失敗したら、ホストコンピュータからの特定コマンドを受信しているかどうかが判定され（Ｓ７０４），特定コマンドを受信していれば、記録系のディスクかどうかを判定し（Ｓ７０５），記録系ディスクであれば、ＤＶＤ−ＶＩＤＥＯ再生速度に設定し（Ｓ７０６）、記録系ディスクでなければデータ再生速度に設定する（Ｓ７０７）。
【００４８】
ホストコンピュータとのＣＳＳ認証動作もなく、ホストコンピュータからの特定コマンドも受信していなければ、ＤＶＤデータと判定して、回転速度をデータ再生速度に設定し（Ｓ７０７）、判定を終了する（Ｓ７０８）。
【００４９】
また、ホストコンピュータとのＣＳＳ認証とホストコンピュータからの特定コマンド受信の判定の順序は逆でもよい。
【００５０】
図８は、本発明の実施の形態３に係わる別のＤＶＤの判断方法を示した図である。
【００５１】
ＤＶＤの判定が開始されると（Ｓ８０１）、ディスク情報が取得され（Ｓ８０２）、ホストコンピュータから特定コマンドを受信しているかどうか判定され（Ｓ８０３）、ホストコンピュータから特定コマンドが受信されていたら、光ディスクが記録系ディスクかどうか判定され（Ｓ８０４）、記録系ディスクであれば、光ディスクの回転速度をＤＶＤ−ＶＩＤＥＯ再生速度に設定する（Ｓ８０７）。光ディスクが記録系ディスクでなかったら、ホストコンピュータとのＣＳＳ認証動作をしたかどうか判定し（Ｓ８０５）、ホストコンピュータとのＣＳＳ認証動作をしたら、光ディスクの回転速度をＤＶＤ−ＶＩＤＥＯ再生速度に設定する（Ｓ８０７）。
【００５２】
ホストコンピュータからの特定コマンドの受信がなく、ホストコンピュータとのＣＳＳ認証動作も実施しなかったら、データ再生速度に設定する（Ｓ８０６）。
【００５３】
このようにして、ＤＶＤ−ＶＩＤＥＯの再生では、ＤＶＤ−ＶＩＤＥＯディスクと判定することができ、データ再生に支障なくかつ回転音の低騒音化を図れる回転速度とし、ＤＶＤ−ＲＯＭなどのデータディスクでは高速のアクセスができるようになる。
【００５４】
なお、本実施の形態３の特定コマンドである、Ｒｅｐｏｒｔ  Ｋｅｙの受信に関しては、実施の形態１で述べた、特定コマンドによるＤＶＤ−ＶＩＤＥＯの判定による再生方法とした方が望ましい。
【産業上の利用可能性】
【００５５】
本発明は、ディスクに記録された情報を読み込み再生するディスク装置を搭載したディスク再生装置、たとえば、光ディスク装置、光磁気ディスク装置、ハードディスク装置など回転する記録媒体を有する再生装置全般に利用可能である。
【図面の簡単な説明】
【００５６】
【図１】本発明の実施の形態１に係わる光ディスク装置の構成を示したブロック図
【図２】本発明の実施の形態１に係わるアプリケーションソフトの発行するコマンドと光ディスク装置の再生する転送状態を示した図
【図３】本発明の実施の形態１に係わるアプリケーションソフトによる光ディスクの再生までのフローを示した図
【図４】本発明の実施の形態１に係わるＤＶＤ−ＶＩＤＥＯの再生制御を示す図
【図５】本発明の実施の形態１に係わるデータ読み出しの手順を示した図
【図６】本発明の実施の形態２に係わるコマンドパターン検出の手順を示した図
【図７】本発明の実施の形態３に係わるＤＶＤの判断方法を示した図
【図８】本発明の実施の形態３に係わる別のＤＶＤの判断方法を示した図
【符号の説明】
【００５７】
１    光ディスク装置
１１    光ディスク
１２    ピックアッップモジュール
１３    スピンドルモータ
１４    フィードモータ
１５    サーボモジュール
１６    信号制御部
１７    ＣＰＵ
１８    メインメモリ
１９    バッファメモリ
１１０    インタフェース
１１１    ホストコンピュータ
１１２    ＩＤＥケーブル
【図１】
2006309813.tif 000003
【図２】
2006309813.tif 000004
【図３】
2006309813.tif 000005
【図４】
2006309813.tif 000006
【図５】
2006309813.tif 000007
【図６】
2006309813.tif 000008
【図７】
2006309813.tif 000009
【図８】
2006309813.tif 000010